(57)【要約】      （修正有）【課題】さまざまな大きさの袋の使用に対応し易く、室内のみならず悪環境例えば雨の降る屋外での使用にも耐える袋用開閉式ホルダーを提供する。【解決手段】矩形の外枠２、矩形の内枠１２と第１〜第４の縦枠３等に形成された第１〜第４の支持部７等を備え、第１、第３の支持部７、１７及び第２、第４の支持部８、１８とが、回動可能にそれぞれ組み合わされ、使用時には外枠２と内枠１２が開脚されて立脚できる袋用開閉式ホルダー１で、第１〜第４の縦枠３等及び第１〜第４の横枠５等は線状であり、第１等の支持部７等は、支持部７等によって規定される仮想平面が、外枠２によって規定される仮想平面と垂直に形成されるＳ字状であり、第３等支持部１７等は、支持部１７等によって規定される仮想平面が、内枠１２によって規定される仮想平面に含まれるように形成される。【選択図】図１
2017044006.tif 000002
【特許請求の範囲】
【請求項１】
対向する第１の縦枠と第２の縦枠及び対向する第１の横枠と第２の横枠を有する矩形の外枠と、対向する第３の縦枠と第４の縦枠及び対向する第３の横枠と第４の横枠を有する矩形の内枠と、前記第１〜第４の縦枠に形成された第１〜第４の支持部と、を備え、前記第１の支持部と前記第３の支持部及び前記第２の支持部と前記第４の支持部とが、回動可能にそれぞれ組み合わされ、使用時には前記外枠と前記内枠が開脚されて立脚できる袋用開閉式ホルダーにおいて、
前記第１〜第４の縦枠及び前記第１〜第４の横枠は線状であり、前記第１及び第２の支持部は、該支持部によって規定される仮想平面が、前記外枠によって規定される仮想平面と垂直に形成されるＳ字状であり、前記第３及び第４の支持部は、該支持部によって規定される仮想平面が、前記内枠によって規定される仮想平面に含まれるように形成される山形状であることを特徴とする袋用開閉式ホルダー。
【請求項２】
前記Ｓ字状は点対称であり、前記山形状は線対称である請求項１に記載の袋用開閉式ホルダー。
【請求項３】
前記第１及び第３の横枠に、それぞれ少なくても１つの保持突起を、さらに備えた請求項１又は２に記載の袋用開閉式ホルダー。
【請求項４】
前記第２及び第４の横枠に、立脚して固定するために、それぞれ少なくても１つの固定突起を、さらに備えた請求項１〜３の何れか１項に記載の袋用開閉式ホルダー。
【請求項５】
土のう用開閉式ホルダーである請求項１〜４の何れか１項に記載の袋用開閉式ホルダー。
【発明の詳細な説明】
【技術分野】
【０００１】
対向する第１の縦枠と第２の縦枠及び対向する第１の横枠と第２の横枠を有する矩形の外枠と、対向する第３の縦枠と第４の縦枠及び対向する第３の横枠と第４の横枠を有する矩形の内枠と、前記第１〜第４の縦枠に形成された第１〜第４の支持部と、を備え、前記第１の支持部と前記第３の支持部及び前記第２の支持部と前記第４の支持部とが、回動可能にそれぞれ組み合わされ、使用時には前記外枠と前記内枠が開かれて平地に立脚できる袋用開閉式ホルダーに関する。
【背景技術】
【０００２】
従来、ゴミ袋や土のう等の袋用ホルダーは、内容物を袋の中に入れるため、口の開いた状態で袋を保持できるように、そして不要になれば物置等に収納できる構造のものが提供されてきた。
特許文献１には、内容物がゴミである折り畳みゴミ袋の保持スタンドであって、梯形コの字形の外枠と内枠を内接して回動可能に軸着し、折り畳んで平行と開いてＸ字形に立設する構成で、両枠上部の切欠に袋の開口部をワンタッチで装着するものが開示されている。また特許文献２には、内容物が土である土のう袋保持スタンドであって、アームからなる二枚のスタンドを設け、そのスタンドに支柱軸と軸穴を介し左右に開閉折り畳み機能を設け、支柱軸の一部に差しこみ棒を受ける中空軸を設けたものが開示されている。
【先行技術文献】
【特許文献】
【０００３】
【特許文献１】特開２０１１−１１１２７７号公報
【特許文献２】特開２０１３−２４０２５号公報
【発明の概要】
【発明が解決しようとする課題】
【０００４】
しかしながら、特許文献１の保持スタンドでは回動可能に軸着するため軸を使用しているので、その軸が金属製であれば錆びの発生しやすい環境で使用されれば発生した錆びによって、回動が不十分になるおそれがあった。
また特許文献２の保持スタンドでは、２つのアームの他に差し込み棒という部品が必要であり、さまざま大きさの土のうに対応することが困難という問題があった。
【０００５】
本発明は、上記問題点を解決するためになされたものであり、さまざまな大きさの袋の使用に対応し易く、室内のみならず悪環境例えば雨の降る屋外での使用にも耐える袋用開閉式ホルダーを提供することを目的とする。
【課題を解決するための手段】
【０００６】
上記目的を達成するために、本発明の次のような構成を有している。
（１）対向する第１の縦枠と第２の縦枠及び対向する第１の横枠と第２の横枠を有する矩形の外枠と、対向する第３の縦枠と第４の縦枠及び対向する第３の横枠と第４の横枠を有する矩形の内枠と、前記第１〜第４の縦枠に形成された第１〜第４の支持部と、を備え、前記第１の支持部と前記第３の支持部及び前記第２の支持部と前記第４の支持部とが、回動可能にそれぞれ組み合わされ、使用時には前記外枠と前記内枠が開脚されて立脚できる袋用開閉式ホルダーにおいて、前記第１〜第４の縦枠及び前記第１〜第４の横枠は線状であり、前記第１及び第２の支持部は、該支持部によって規定される仮想平面が、前記外枠によって規定される仮想平面と垂直に形成されるＳ字状であり、前記第３及び第４の支持部は、該支持部によって規定される仮想平面が、前記内枠によって規定される仮想平面に含まれるように形成される山形状であることを特徴とする袋用開閉式ホルダーである。
以下の記載において、Ｓ字状の第１の支持部と山形状の第３の支持部の組み合わせ部分を、第１の組み合わせ部分と言い、Ｓ字状の第２の支持部と山形状の第４の支持部の組み合わせ部分を、第２の組み合わせ部分と言う場合がある。
（２) 前記Ｓ字状は点対称であり、前記山形状は線対称である（１）に記載の袋用開閉式ホルダーである。
（３）前記第１及び第３の横枠に、それぞれ少なくても１つの保持突起を、さらに備えた（１）又は（２）に記載の袋用開閉式ホルダーである。
（４）前記第２及び第４の横枠に、立脚して固定するために、それぞれ少なくても１つの固定突起を、さらに備えた（１）〜（３）の何れか１つに記載の袋用開閉式ホルダーである。
（５）土のう用開閉式ホルダーである（１）〜（４）の何れか１つに記載の袋用開閉式ホルダーである。
【発明の効果】
【０００７】
本発明の作用・効果を説明する。
（１）対向する第１の縦枠と第２の縦枠及び対向する第１の横枠と第２の横枠を有する矩形の外枠と、対向する第３の縦枠と第４の縦枠及び対向する第３の横枠と第４の横枠を有する矩形の内枠と、第１〜第４の縦枠に形成された第１〜第４の支持部と、を備え、第１の支持部と第３の支持部及び第２の支持部と第４の支持部とが、回動可能にそれぞれ組み合わされ、使用時には外枠と内枠が開脚されて立脚できる袋用開閉式ホルダーにおいて、第１〜第４の縦枠及び第１〜第４の横枠は線状であり、第１及び第２の支持部は、支持部によって規定される仮想平面が、外枠によって規定される仮想平面と垂直に形成されるＳ字状であり、第３及び第４の支持部は、支持部によって規定される仮想平面が、内枠によって規定される仮想平面に含まれるように形成される山形状であることを特徴とする袋用開閉式ホルダーであるので、開脚されて立脚したときに、第1の縦枠について第1の組み合わせ部分において発生する力と、第２の組み合わせ部分において発生する力が偶力の関係にあって、また第２の縦枠について第１の組み合わせ部分において発生する力と、第２の組み合わせ部分において発生する力が偶力の関係にあって、第1の縦枠についての偶力によるモーメントと第２の縦枠についての偶力によるモーメントが、お互いに打消しあって第1の縦枠と第２の縦枠は立脚の状態を保っていると推定される。そのため、袋用開閉式ホルダーは、第1及び第２の支持部にボルトやナットを使用しないで済み、ボルト等に発生する錆びによる回動の不都合を防止し、閉脚すれば折り畳んで収納することによって、収納スペースを節約することができるという効果を奏する。
（２）Ｓ字状は点対称であり、山形状は線対称である（１）に記載の袋用開閉式ホルダーであるので、Ｓ字状と山形状の接する部分における回動が一層スムーズになるという効果を奏する。
（３）第１及び第３の横枠に、それぞれ少なくても１つの保持突起を、さらに備えた(１)又は(２)に記載の袋用開閉式ホルダーであるので、第１及び第３の横枠に備えられた少なくても一つの保持突起を、保持する袋の大きさすなわち開口部の大きさに応じて選ぶことができるため、様々な大きさの袋を使用することができるという効果を奏する。
（４）第２及び第４の横枠に、立脚して固定するために、それぞれ少なくても１つの固定突起を、さらに備えた（１）〜(３)の何れか一つに記載の袋用開閉式ホルダーであるので、固定突起を平地に押し込むことができるため、平地にしっかりと固定されるという効果を奏する。
（５）土のう用開閉式ホルダーである（１）〜（４）の何れか一つに記載の袋用開閉式ホルダーであるので、悪環境が多い屋外で使用される袋である土のうを使用したときに、ボルト等に発生する錆びによる回動の不都合を防止し、閉脚すれば折り畳んで収納することによって、収納スペースを節約することができるとういう効果をより一層奏することができるのである。
【図面の簡単な説明】
【０００８】
【図１】本発明の一実施の形態である袋用開閉式ホルダーが平地に立脚された状態の斜視図である。
【図２】袋用開閉式ホルダーに土のうが保持された状態の斜視図である。
【図３】袋用開閉式ホルダーが折り畳まれた状態の斜視図である。
【図４】袋用開閉式ホルダーの外枠の正面図である。
【図５】Ａ方向からみた第１の支持部の拡大説明図である。
【図６】袋用開閉式ホルダーの内枠の正面図である。
【図７】第１の組み合わせ部分の拡大説明図である。
【発明を実施するための形態】
【０００９】
図１は袋用開閉式ホルダー１が平地に立脚された状態の斜視図である。図１に基づいて、袋用開閉式ホルダー１の説明を行う。袋用開閉式ホルダー１は、矩形の外枠２と矩形の内枠１２を備えて構成されている。外枠２は、対向する第１の縦枠３と第２の縦枠４及び対向する第１の横枠５と第２の横枠６を、内枠１２は、対向する第３の縦枠１３と第４の縦枠１４及び対向する第３の横枠１５と第４の横枠１６備えて構成される（外枠２については図４、内枠１２については図６参照）。
縦枠３、４、１３、１４及び横枠５、６、１５、１６はそれぞれ金属製の線状で、太さは、袋を保持できて袋用開閉式ホルダーの成形性の観点から４ｍｍ〜７ｍｍが好ましく、袋が土のうである場合には特に６ｍｍが好ましい。金属の材質としてはコスト面から鉄が好ましい。
【００１０】
第１の縦枠３の中央部分には、Ｓ字状の第１の支持部７、第２の縦枠４の中央部分には同形のＳ字状の第２の支持部８、第１の横枠５には第２の横枠６と反対方向側に３個の保持突起９Ａ〜９Ｃが所定の間隔をおいて備えられている。支持突起９Ａ等は先端に向かってテーパを有しているため、袋の開口部を引っかけて容易に袋を保持することができる。外枠２は平地Ｇに対して傾斜を有しているため、保持突起９Ａ〜９Ｃが平地Ｇに対して鉛直方向に備えられるようにすることが好ましく、その傾斜に応じて保持突起９Ａ〜９Ｃと第1の縦枠３とのなす角度は、１２０°〜１８０°から適宜に選択される。
第２の横枠６には、第１の横枠５と反対方向側に２個の固定突起１０Ａ、１０Ｂが、所定の間隔をおいて備えられる。固定突起１０Ａ等は先端に向かってテーパを有しているため、固定突起１０Ａ等が、袋用開閉式ホルダー１が立脚している平地Ｇの地中に押し込まれることによって、袋用開閉式ホルダー１が強固に平地Ｇに固定されるのである。保持突起１０Ａ、１０Ｂが平地Ｇに鉛直に押し込まれることが好ましいため、保持突起１０Ａ、１０Ｂと第1の縦枠３とのなす角度は、１３０°〜１７０°から適宜に選択される。
【００１１】
第３の縦枠１３の中央部分には、山形状の第３の支持部１７、第４の縦枠１４の中央部分には同形の山形状の第４の支持部１８、第３の横枠１５には第４の横枠１６と反対方向側に３個の保持突起１９Ａ〜１９Ｃが所定の間隔をおいて備えられている。第４の横枠１６には、第３の横枠１５と反対方向側に２個の固定突起２０Ａ、２０Ｂが、所定の間隔をおいて備えられる。保持突起１９Ａ〜１９Ｃ、固定突起２０Ａ、２０Ｂは、それぞれ保持突起９Ａ〜９Ｃ、固定突起１０Ａ、１０Ｂと等価である。つまり保持突起１９Ａ〜１９Ｃは、先端に向かってテーパを有しており、それらと第３の縦枠１３とのなす角度は、１２０°〜１８０°から適宜に選択される等である。
【００１２】
Ｓ字状の第１の支持部７と山形状の第３の支持部１７による第1の組み合わせ部分６０、及びＳ字状の第２の支持部８と山形状の第４の支持部１８による第２の組み合わせ部分６１は、それぞれ回動可能である。袋用開閉式ホルダー１を使用するには、第２の横枠６と第４の横枠１６を平地Ｇに接地するようにし、第１の横枠５と第３の縦枠１５を上側にして立てるようにする。そのときには、外枠２と内枠１２は開かれうるところまで開いている。すなわち例えば第１の組み合わせ部分６０において、Ｓ字状の第１の支持部７と山形状の第３の支持部１７が、所定部分で接触して、外枠２と内枠１２が開かれることができない状態になっている。詳細は後述する(図７参照)。
【００１３】
図２は袋用開閉式ホルダー１に土のう５０が保持された状態の斜視図である。すなわち袋が土のう５０であるから、袋用開閉式ホルダー１は、土のう用開閉式ホルダー７０となる。図２に基づいて、土のう用開閉式ホルダー７０の説明を行う。
土のう５０はその開口部５１を上側にして、保持突起９Ａ〜９Ｃと、保持突起１９Ａ〜１９Ｃに、開口部５１付近が引っかけられ、開口部５１が開かれた状態で保持される。保持の仕方は、保持突起９Ａ〜９Ｃから選ばれた少なくても１つと、保持突起１９Ａ〜１９Ｃから選ばれた少なくても１つを使用することによって変化させることができる。
【００１４】
ところで、土のう５０は様々なサイズのものが市販されている。例えば幅は約２５〜６０ｃｍ程度で、高さは約６０ｃｍ〜１００ｃｍ程度のものである。
そこで、袋用開閉式ホルダー７０は、外枠２及び内枠１２の長手方向の長さは約６０ｃｍ程度、短手方向の長さは約２５ｃｍ程度が好ましい。土のう５０が、仮に幅約２５ｃｍで高さ約６０ｃｍである場合には、土のう用開閉式ホルダー７０の長手方向の長さと土のう５０の高さとの関係から、土のう用開閉式ホルダー７０の保持突起９Ａ〜９Ｃのうちの１つと、保持突起１９Ａ〜１９Ｃのうちの１つの計２つを使用することができる。開口部５１は、開口部５１を閉じる紐５３を通すため２枚重ね５２になっているので、２つすなわち２箇所によって開口部５１を開けば、開口の状態を保つことができる。
【００１５】
次に土のう５０が、仮に幅約６０ｃｍで高さ約１００ｃｍである場合には、サイズすなわち容量が大きい分土のう５０に入れる土等は多くなるのであるから、土のう５０は、土のう用開閉式ホルダー７０によりしっかり保持されるべきである。この場合には、土のう５０の高さが、土のう用開閉式ホルダー７０の長手方向の長さより十分寸法があるので、保持突起９Ａ〜９Ｃ、１９Ａ〜１９Ｃの６個を使ってしっかり保持されることができるのである。すなわち土のう用開閉式ホルダー７０は、保持突起を複数個有することによって、土のう５０のサイズに応じた使用が可能となるのである。
なお土のう５０でない袋を使用する場合でも、外枠２等の長手方向等の長さを、その袋のサイズに見合った長さに設計することによって対応することができる。
【００１６】
図３は袋用開閉式ホルダー１が折り畳まれた状態の斜視図である。第１の組み合わせ部分６０と第２の組み合わせ部分６１は、それぞれ回動可能であるため、外枠２と内枠１２はほぼ平行になるように折り畳むことができ、折り畳んだ袋用開閉式ホルダー１は重ねて収容されることができるので、収納効率がよい。特に土のう用開閉式ホルダー７０の収納場所は、屋外に立てられた倉庫等であり、収納場所が狭いため収納効率が高いことは好ましい。
【００１７】
図４は袋用開閉式ホルダー１の外枠２の正面図である。図４に基づいて外枠２について追加の説明を行う。外枠２はその矩形を含む仮想平面ＨＯ（図示せず）を規定できるように形成されている。またＳ字状の第１の支持部７も、そのＳ字状を含む仮想平面ＨＳ（図示せず）を規定できるように形成されている。そしてその２つの仮想平面ＨＯとＨＳはお互いに垂直に交わる関係になっている。
図５はＡ方向からみた第１の支持部７の拡大説明図である。図５に基づいて第１の支持部７の説明を行う。第１の支持部７のＳ字状は、接続点３３について点対称である対称性を有するＳ字状である。すなわち角度θＳ及び角度θＴによってＳ字状は形成され、角度θＳは鋭角であって回転可動の観点から４０°〜６０°が好ましい。またθＴは鈍角であって保持しようとする袋のサイズや外枠２と内枠１２の長手方向の長さ等との関係によって適宜に設計されるが、回動可能の観点から１５０°〜１７０°が好ましい。なお、第２の支持部８のＳ字状は、回動可能をスムーズにするため、第１の支持部７のＳ字状と同形であることが好ましい。
【００１８】
図６は袋用開閉式ホルダー１の内枠１２の正面図である。図５に基づいて内枠１２について追加の説明を行う。内枠１２はその矩形を含む仮想平面ＨＩ（図示せず）を規定できるように形成されている。また山形状の第３の支持部１７も、その山形状を含む仮想平面ＨＭ（図示せず）を規定できるように形成されている。そして仮想平面ＨＭは仮想平面ＨＩに含まれる関係になっている。第３の支持部１７の山形状は、対称線Ｍについて線対称である対称性を有する山形状である。すなわち角度θＭによって山形状は形成され、θＭは回転可動の観点から７５°〜９５°が好ましい。第４の支持部１８の山形状は、回動可能をスムーズにするため、第３の支持部１７の山形状と同形であることが好ましい。
【００１９】
袋用開閉式ホルダー１を夜間の屋外で使用する場合には、外枠２と内枠１２がそれぞれ蛍光塗料で塗装されれば、袋用開閉式ホルダー１の所在場所が視認できて有効な場合がある。特に袋用開閉式ホルダー１が土のう用開閉式ホルダー７０であれば、緊急災害時の作業について非常に有効である。暴風雨によって川が増水し、堤防等が決壊するおそれ等が発生した場合に、緊急処置として土のう５０に土石等を詰めて並べ、護岸しようとする防災作業が行われることがある。そのときに土のう５０を保持した土のう用開閉式ホルダー７０が、蛍光塗料によって視認性を向上していれば、防災作業が有効かつ迅速に行われることになる。
【００２０】
図７は第１の組み合わせ部分６０の拡大説明図である。図７に基づいて第１の組み合わせ部分６０の説明を行う。Ｓ字状の第１の支持部７は、第１の横枠５の側(以下、上側という)から第２の横枠６の側(以下、下側という)に向かって、Ｓ字状の上側端３１、上側頂点３２、接続点３３、下側頂点３４及び下側端３５を形成している。一方山形状の第３の支持部１７は、上側から下側に向かって、山形状の上側端４１、頂点４２及び下側端４３を形成している。
組み合わせ部分６０において、山形状の上側端４１から頂点４２の線材の後方内側に、Ｓ字状の上側端３１から上側頂点３２を経由した接続点３３の線材があり、Ｓ字状の接続点３３から下側頂点３４の線材の後方内側に、山形状の頂点４２から下側端４３の線材がある。
【００２１】
図７に基づいて、第１の組み合わせ部分６０及び第２の組み合わせ部分６１によって、袋用開閉式ホルダー１が立脚する作用について、必ずしも明らかではないが、以下に説明を行う。
第１の横枠５及び第３の横枠１５に袋５５（図示せず）が保持されて、第１の縦枠３については、Ｓ字状の接続点３３について、接続点３３より上側では下側への方向の力ＦＯ、接続点３３より下側では上側への方向の力ＦＯがそれぞれ作用する。一方、第３の縦枠１３については、山形状の頂点４２について、頂点４２より上側では下側への方向への力ＦI、頂点４２より下側では上側への方向の力ＦIがそれぞれ作用する。そうすると接続点３３（頂点４２）より上側でＳ字状と山形状の接する部分Ｐ１（以下、部分Ｐ１と言う）では、第１の縦枠３については下側への方向の力ＦＯ１、第３の縦枠１３については下側への方向の力ＦI１が発生する。一方、接続点３３（頂点４２）より下側でＳ字状と山形状の接する部分Ｐ２（以下、部分Ｐ２と言う）では、第１の縦枠３については上側への方向の力ＦＯ２、第３の縦枠１３については上側への方向の力ＦI２が発生する。
【００２２】
力ＦＯと力ＦIの大きさは等しいので、力ＦＯ１、力ＦＯ２、力ＦＩ１及び力ＦＩ２はそれぞれ大きさが等しく、力ＦＯ１と力ＦＯ２及び力ＦＩ１及び力ＦＩ２のそれぞれ力の方向は平行であると推定される。その理由は以下のようである。
Ｓ字状は接続点３３について点対称であり、山形状は対称線Ｍについて線対称であって、仮想平面ＨＳと仮想平面ＨＭは垂直に交わっている。すなわち力ＦＯ１、力ＦＯ２、力ＦＩ１及び力ＦＩ２は仮想平面ＨＳに含まれ、力ＦＯ１と力ＦＯ２及び力ＦＩ１及び力ＦＩ２はそれぞれ平行になっていると推定される。そうであるならば、部分Ｐ１と部分Ｐ２を結ぶ補助線Ｎ上の部分Ｐ１と部分Ｐ２の中間点をＯとするとき、ＦＯ１と力ＦＯ２及び力ＦＩ１と力ＦＩ２はそれぞれいわゆる偶力の関係になっていると推定される。そして第1の縦枠３に作用するＦＯに基づく力ＦＯ１と力ＦＯ２の偶力によるモーメントと、第３の縦枠１３に作用するＦＩに基づくＦＩ１と力ＦＩ２の偶力によるモーメントとが、部分Ｐ１と部分Ｐ２において、第1の接続部７と第３の接続部１７が、それぞれ動こうとする方向をお互いに妨げるように接して組み合わされることによって、お互いが打ち消しあうと推定される。一方第２の組み合わせ部分６１についても同様である。その結果、外枠２と内枠１２との位置が維持され立脚すると推定される。
【００２３】
したがって、第１の組み合わせ部分６０と第２の組み合わせ部分６１に、ボルトやナットを使用しないで済むため、それらが錆びることよって組み合わせ部分６０、６１の回動が困難になる等の不都合を回避することができるという効果を奏する。その効果は、袋用開閉式ホルダー１が屋外で使用する土のう用開脚式ホルダー７０である場合に特に有効である。なお、第１の支持部７のＳ字状の凹みの寸法は、第３の縦枠１３の線径よりも大きく、第３の支持部１７の山形状の凹みの寸法は、第１の縦枠３の線径よりも大きい。また第２の支持部８のＳ字状の凹みの寸法は、第４の縦枠１４の線径よりも大きく、第４の支持部１８の山形状の凹みの寸法は、第２の縦枠４の線径よりも大きい。
【００２４】
袋用開閉式ホルダー１の作製方法としては、第1に第１〜第４の支持部を作製するため、例えば外径６ｍｍの鉄製の線材が４本用意される（以下に記載する線材の外径は全て６ｍｍであるため、線材の外径の記載は省略する）。第１、第２の支持部７，８のＳ字状は上側端３１から下側端３５までが、例えば６０ｍｍであるので、第１、第２の支持部７，８を作製する線材の長さは例えば１００ｍｍである。第１、第２の支持部７，８は、その線材のＳ字状となる部分を加熱してＳ字状に形成できる型に押し当てることによって作製される。第３、第４の支持部１７，１８の山形状は上側端４１から下側端４３までが、例えば３０ｍｍであるので、第３、第４の支持部１７，１８を作製する線材の長さは例えば７０ｍｍである。第３、第４の支持部１７，１８は、その線材の山形状となる部分を加熱して山形状に形成できる型に押し当てることによって作製される。
【００２５】
第２に外枠２を作製するため、例えば長さ７５０ｍｍの線材と長さ７７０ｍｍの線材が用意される。第1の接続部７の上側に長さ７５０ｍｍの線材を溶接で接続し、第１の横枠５に相当する部分の長さが約２５０ｍｍとなるようにその線材を２箇所で折り曲げ、第２の接続部８の上側に溶接で接続する。そして第1の接続部７の下側に長さ７７０ｍｍの線材を溶接で接続し、第２の横枠６に相当する部分の長さが約２５０ｍｍとなるようにその線材を２箇所で折り曲げ、第２の接続部８の下側に溶接で接続する。こうして外枠２が作製される。
第３に内枠１２を作製するため、例えば長さ７４０ｍｍの線材と長さ８００ｍｍの線材が用意される。第３の接続部１７の上側に長さ７４０ｍｍの線材を溶接で接続し、第３の横枠１５に相当する部分の長さが約２５０ｍｍ（外枠２の内側に納まるような寸法である）となるようにその線材を２箇所で折り曲げ、第４の接続部１８の上側に溶接で接続する。そして第３の接続部１７の下側に長さ８００ｍｍの線材を溶接で接続し、第４の横枠６に相当する部分の長さが約２５０ｍｍとなるようにその線材を２箇所で折り曲げ、第４の接続部１８の下側に溶接で接続する。こうして内枠１２が作製される。
【００２６】
第４に外枠２に保持突起９Ａ〜９Ｃを接続するため、テーパを有する根元の外径が例えば６ｍｍで長さが２０ｍｍの鉄製円錐形部品と、固定突起１０Ａ、１０Ｂを接続するため、テーパを有する根元の外径が例えば６ｍｍで長さが２５ｍｍの鉄製円錐形部品が用意される。第１の横枠５の中央部分に保持突起９Ｂが位置し、保持突起９Ａから９Ｃまでの間隔が例えば１５０ｍｍで、その中間に保持突起９Ｂが位置するように、第１の横枠５に保持突起９Ａ〜９Ｃが溶接で接続される。第２の横枠６に固定突起１０Ａから１０Ｂまでの間隔が例えば２００ｍｍで、固定突起１０Ａ、１０Ｂから第２の横枠６の近い端までのそれぞれの距離が等しくなる位置に、第４の横枠に固定突起１０Ａ、１０Ｂが溶接で接続される。
【００２７】
第５にＳ字状の第１の接続部７に山形状の第３の支持部１７が、Ｓ字状の第２の接続部８に山形状の第４の支持部１８が組み合わせられように、外枠２と外枠１２に適宜の力を加えて袋用開閉式ホルダー１とする。
第６に蛍光塗料が袋用開閉式ホルダー１に塗装される。なお、蛍光塗料の色は、袋用開閉式ホルダー１の視認性を向上させるために赤や黄色等が適宜に選択される。また外枠２と内枠１２が別々の色の蛍光塗料で塗装されても良く、蛍光塗料以外の塗料が適宜に使用されてもよい。
なお、言うまでもなく第１〜第５の作製手順や内容は適宜な変更、修正が可能である。
【００２８】
本実施例によれば、（１）対向する第１の縦枠３と第２の縦枠４及び対向する第１の横枠５と第２の横枠６を有する矩形の外枠２と、対向する第３の縦枠１３と第４の縦枠１４及び対向する第３の横枠１５と第４の横枠１６を有する矩形の内枠１２と、第１〜第４の縦枠３、４、１３、１４に形成された第１〜第４の支持部７、８、１７、１８と、を備え、第１の支持部７と第３の支持部１７及び第２の支持部８と第４の支持部１８とが、回動可能にそれぞれ組み合わされ、使用時には外枠２と内枠１２が開脚されて立脚できる袋用開閉式ホルダー１において、第１〜第４の縦枠３、４、１３、１４及び第１〜第４の横枠５、６、１５、１６は線状であり、第１及び第２の支持部７，８は、支持部７、８によって規定される仮想平面ＨＳが、外枠２によって規定される仮想平面ＨＯと垂直に形成されるＳ字状であり、第３及び第４の支持部１７、１８は、支持部１７、１８によって規定される仮想平面ＨＭが、内枠１２によって規定される仮想平面ＨＩに含まれるように形成される山形状であることを特徴とする袋用開閉式ホルダー１である。
（２）Ｓ字状は点対称であり、山形状は線対称である（１）に記載の袋用開閉式ホルダー１である。
（３）第１及び第３の横枠３、１３に、それぞれ少なくても１つの保持突起９Ａを、さらに備えた（１）又は（２）に記載の袋用開閉式ホルダー１である。
（４）第２及び第４の横枠８、１８に、立脚して固定するために、それぞれ少なくても１つの固定突起１０Ａを、さらに備えた（１）〜（３）の何れか１つに記載の袋用開閉式ホルダー１である。
（５）土のう用開閉式ホルダー７０である（１）〜（４）の何れか１つに記載の袋用開閉式ホルダー１である。
【００２９】
本発明の袋用開閉式ホルダーについては、上記実施例に限定されることなく、色々な応用が可能である。本発明の実施の態様では保持突起や固定突起にはキャップは被せられていないが、持ち運びの利便性を考慮してキャップ等を被せてもよい。
【符号の説明】
【００３０】
１    袋用開閉式ホルダー
２    外枠
３    第１の縦枠
４    第２の縦枠
５    第１の横枠
６    第２の横枠
１２  内枠
１３  第３の縦枠
１４  第４の縦枠
１５  第３の横枠
１６  第４の横枠
７    第１の支持部
８    第２の支持部
１７  第３の支持部
１８  第４の支持部
９（９Ａ、９Ｂ、９Ｃ、１９Ａ、１９Ｂ、１９Ｃ）  保持突起  
【図１】
2017044006.tif 000003
【図２】
2017044006.tif 000004
【図３】
2017044006.tif 000005
【図４】
2017044006.tif 000006
【図５】
2017044006.tif 000007
【図６】
2017044006.tif 000008
【図７】
2017044006.tif 000009
【手続補正書】
【提出日】平成28年5月22日(2016.5.22)
【手続補正１】
【補正対象書類名】特許請求の範囲
【補正対象項目名】全文
【補正方法】変更
【補正の内容】
【特許請求の範囲】
【請求項１】
対向する第１の縦枠と第２の縦枠及び対向する第１の横枠と第２の横枠を有する矩形の外枠と、対向する第３の縦枠と第４の縦枠及び対向する第３の横枠と第４の横枠を有する矩形の内枠と、前記第１〜第４の縦枠に形成された第１〜第４の支持部と、を備え、前記第１の支持部と前記第３の支持部及び前記第２の支持部と前記第４の支持部とが、回動可能にそれぞれ組み合わされ、使用時には前記外枠と前記内枠が開脚されて立脚できる袋用開閉式ホルダーにおいて、
前記第１〜第４の縦枠及び前記第１〜第４の横枠は線状であり、前記第１及び第２の支持部は、該支持部によって規定される仮想平面が、蛍光塗料で塗装された前記外枠によって規定される仮想平面と垂直に形成される点対称のＳ字状であり、前記第３及び第４の支持部は、該支持部によって規定される仮想平面が、蛍光塗料で塗装された前記内枠によって規定される仮想平面に含まれるように形成される線対称の山形状であり、前記外枠と前記内枠はほぼ平行になるように折り畳むことができ、前記第２及び第４の横枠に、立脚して固定するために、それぞれ少なくても１つの固定突起を接続して、さらに備えたことを特徴とする土のう用開閉式ホルダー。
【請求項２】
前記第１及び第３の横枠に、それぞれ少なくても１つの保持突起を、さらに備えた請求項１に記載の土のう用開閉式ホルダー。
【手続補正２】
【補正対象書類名】明細書
【補正対象項目名】００１０
【補正方法】変更
【補正の内容】
【００１０】
第１の縦枠３の中央部分には、Ｓ字状の第１の支持部７、第２の縦枠４の中央部分には同形のＳ字状の第２の支持部８、第１の横枠５には第２の横枠６と反対方向側に３個の保持突起９Ａ〜９Ｃが所定の間隔をおいて備えられている。保持突起９Ａ等は先端に向かってテーパを有しているため、袋の開口部を引っかけて容易に袋を保持することができる。外枠２は平地Ｇに対して傾斜を有しているため、保持突起９Ａ〜９Ｃが平地Ｇに対して鉛直方向に備えられるようにすることが好ましく、その傾斜に応じて保持突起９Ａ〜９Ｃと第1の縦枠３とのなす角度は、１２０°〜１８０°から適宜に選択される。
第２の横枠６には、第１の横枠５と反対方向側に２個の固定突起１０Ａ、１０Ｂが、所定の間隔をおいて備えられる。固定突起１０Ａ等は先端に向かってテーパを有しているため、固定突起１０Ａ等が、袋用開閉式ホルダー１が立脚している平地Ｇの地中に押し込まれることによって、袋用開閉式ホルダー１が強固に平地Ｇに固定されるのである。固定突起１０Ａ、１０Ｂが平地Ｇに鉛直に押し込まれることが好ましいため、固定突起１０Ａ、１０Ｂと第1の縦枠３とのなす角度は、１３０°〜１７０°から適宜に選択される。